(57)【要約】【課題】  回路基板のアースを向上させつつ端子へのケーブルのコネクタを挿入する際の破損を低減させて映像表示装置の信頼性を向上させる。【解決手段】  映像信号を伝送するためのケーブルのコネクタが挿入される端子(5)が設けられた回路基板(8)と、シャーシ(7)とを備え、回路基板とシャーシとを複数の結合部で互いに結合する場合において、これら複数の結合部のうち、少なくとも前記端子に近い結合部(10)は弾性部材(23)を含んで構成されており、該弾性部材を介して上記回路基板とシャーシとを結合し、それ以外の結合部(9)ではネジ等により固定的に結合したことを特徴とする。【選択図】  図１
2008249930.tif 000002
【特許請求の範囲】
【請求項１】
映像表示装置において、
映像信号を伝送するケーブルが挿入される端子が設けられた回路基板と、
前回路基板が取り付けられるシャーシと、
入力映像信号に基づき映像の表示を行う表示パネルと、を備え、
前記回路基板と前記シャーシとが、少なくとも第１の結合部及び第２の結合部により互いに結合されており、前記第１及び第２の結合部のうち少なくとも前記端子に近いほうの結合部は弾性部材を含み、該弾性部材を介して前記回路基板と前記シャーシとを結合したことを特徴とする映像表示装置。
【請求項２】
請求項１に記載の映像表示装置において、前記第１及び第２の結合部のうち前記端子に遠い方の結合部は、前記弾性部材を含まないことを特徴とする映像表示装置。
【請求項３】
請求項２に記載の映像表示装置において、前記第１及び第２の結合部のうち前記端子に遠い方の結合部はネジを含み、該ネジにより前記回路基板と前記シャーシとを前記ネジで結合したことを特徴とする映像表示装置。
【請求項４】
請求項１に記載の映像表示装置において、前記弾性部材が導電性を有することを特徴とする映像表示装置。
【請求項５】
請求項１または２に記載の映像表示装置において、前記表示パネルは平面型の表示パネルであり、該映像表示装置の垂直断面において、該映像表示装置の前面から該映像表示装置の背面にかけて順に、前記平面型表示パネル、前記シャーシ、及び前記回路基板が配置されており、該回路基板の前記端子が前記映像表示装置の背面において外部に露出され得ることを特徴とする映像表示装置。
【請求項６】
請求項５に記載の映像表示装置において、前記平面型の表示パネルは、液晶表示パネルまたはプラズマディスプレイパネルであることを特徴とする映像表示装置。
【請求項７】
映像表示装置において、
映像信号を伝送するためのケーブルが挿入される端子が設けられた回路基板と、
前記回路基板が取り付けられるシャーシと、
入力映像信号に基づき映像の表示を行う表示パネルと、を備え、
前記回路基板と前記シャーシとが、複数の結合部で互いに結合されており、該複数の結合部のうち、前記端子を含む所定領域に位置する結合部は、弾性部材により前記回路基板と前記シャーシとを結合し、前記所定領域以外の結合部は、弾性を有さない導電性の部材により前記回路基板と前記シャーシとを固定的に結合したことを特徴とする映像表示装置。
【請求項８】
請求項７に記載の映像表示装置において、前記回路基板の主平面を上下もしくは左右方向に２分割したときの一方の分割領域に前記端子が配置され、該端子が配置された一方の分割領域を前記所定領域とすることを特徴とする映像表示装置。
【請求項９】
請求項７または８に記載の映像表示装置において、前記所定領域以外に位置する結合部は、ネジを含むことを特徴とする映像表示装置。
【発明の詳細な説明】
【技術分野】
【０００１】
本発明は、映像表示装置に係り、回路基板をシャーシに結合する場合に、装置の信頼性を向上させるための工夫が為された映像表示装置に関する。
【背景技術】
【０００２】
映像装置等において複数の回路基板を使用し、これらの回路基板を互いに結合する場合においては、この回路基板間のアースを強化して映像処理などに対するノイズの耐性を向上させる必要がある。そのための従来技術としては、例えば下記特許文献１に記載のものが知られている。この特許文献１には、電子カメラ装置において、撮像素子と画像処理回路とを別基板に分け、撮像素子ブラケットのグランドと画像処理回路の回路基板のグランドとを対向させ、これらのグランド間を伸縮性の導通部材で接続したことを開示する。
【０００３】
【特許文献１】特開２００６−２１１０４９号公報
【発明の開示】
【発明が解決しようとする課題】
【０００４】
ところで、映像表示装置においては、例えばＰＣ、ＤＶＤプレーヤ／レコーダ、またはＨＤＤプレーヤ／レコーダなどの外部映像機器からの映像信号を伝送するためのケーブル（例えば、ＤＶＩ(Digital Visual Interface)やＨＤＭＩ(High Definition Multimedia Interface)）が挿入もしくは差し込まれる端子が設けられている。この端子及び入力映像信号を処理する映像処理回路を備えた回路基板は、映像表示装置の背面に配置された金属製のシャーシに取り付けられる。このシャーシは、表示パネル等からの電磁波（不要複写）が外部へ漏洩することを防止するための役割も併せ持ち、いわゆるアースとしても機能する。
【０００５】
液晶表示パネルやプラズマディスプレイパネルを用いた平面型の映像表示装置においては、表示パネルの主平面と平行にシャーシ及び回路基板が配置され、映像表示装置の背面から垂直にケーブルのコネクタを挿入する構成となる。このため、かかる映像表示装置においては、端子に対するケーブルのコネクタの挿入方向は、回路基板またはシャーシの主平面に対し垂直な方向である。よって、回路基板とシャーシとが互いにネジ等で固定的に結合した場合は、回路基板とシャーシ間の距離の変動に対する許容度、すなわちマージンが少なくなり、端子にケーブルのコネクタを挿入した場合における回路基板の変形を吸収することができなくなる。従って、このような場合では、端子にケーブルのコネクタを挿入したときに、当該挿入時に端子に加わる力により回路基板が破損する可能性がある。
【０００６】
これを解消するために、上記特許文献１に記載のように、これらの回路基板間に弾性部材を挟んでこれらを結合すると、上記端子に加わる力を当該弾性部材により吸収することが可能となる。しかしながら、弾性部材は回路基板及びシャーシに対する当接（接触）力が弱く、回路基板及びシャーシ間の導電性が低下する。よって、回路基板及びシャーシを複数の接合箇所で互いに接合する場合、その全ての接合箇所に弾性部材を用いると、回路基板を良好にアースすることが困難となる。上記特許文献１には、かかる映像表示装置（特に平面型の映像表示装置における）事情については何ら考慮されていない。
【０００７】
従って、映像表示装置においては、回路基板のアースを向上させつつ端子へのケーブルのコネクタを挿入する際の破損を低減させて映像表示装置の信頼性を向上させることが重要となる。
【０００８】
本発明は、上記の課題に鑑みて為されたものであって、その目的は、端子を備えた回路基板とシャーシを備えた映像表示装置において、当該映像表示装置の信頼性を向上させるのに好適な技術を提供することにある。
【課題を解決するための手段】
【０００９】
上記目的を達成するために、本発明は、特許請求の範囲に記載された構成を特徴とするものである。すなわち、映像信号を伝送するためのケーブルのコネクタが挿入される端子が設けられた回路基板とシャーシとを備え、回路基板とシャーシとを複数の結合部で互いに結合する場合において、これら複数の結合部のうち、少なくとも前記端子に近い結合部は弾性部材を含んで構成されており、該弾性部材を介して上記回路基板とシャーシとを結合し、それ以外の結合箇所では固定的に結合したことを特徴とするものである。
【００１０】
これにより、回路基板の前記端子が設けられる近傍においては、端子にケーブルのコネクタが挿入されるときの回路基板に加わる力を吸収でき、一方で他の結合部においては回路基板とシャーシ間の接触（電気的接続）が強くなるためアースを向上させることができる。すなわち、本発明によれば、アースを向上させつつ回路基板の破損などを防止することが可能となる。
【発明の効果】
【００１１】
本発明によれば、映像表示装置の信頼性を向上させることが可能となる。
【発明を実施するための最良の形態】
【００１２】
以下、図面を参照しつつ本発明の実施形態について説明する。
【００１３】
図１は、本発明が適用される映像表示装置の外観と断面図を示すものであり、図１（ａ）は、当該映像表示装置を前面（映像観察側）から見た図である。かかる映像表示装置において、その前面には、表示パネルの表示面１が配置されており、それを囲うようにして筐体３が設けられている。筐体３の下部には、該筐体３を支持するためのスタンド２が設けられている。映像表示装置の背面は、図１（ｂ）に示されるように、複数の端子５が配列された端子盤４が露出される。この端子盤４は、図示しないカバーを筐体３から取り外すことによって、初めて外部に露出されるようにしてもよい。また、この端子盤４には、外部映像機器（ＰＣ、ＤＶＤプレーヤ／レコーダ、またはＨＤＤプレーヤ／レコーダ等）からの映像信号が供給されるための、該映像信号を伝送するためのケーブルのコネクタが接続される外部入力端子や、映像表示装置内で生成された映像信号を外部へ出力するための外部出力端子を含む。またこれらの端子は、上述したようにＤＶＩ端子、ＨＤＭＩ端子でもよく、更にＤ端子、ＲＧＢ信号用の端子、コンポーネント信号（ＹＣｂＣｒ信号）用の端子、映像・音声（モノラル／ステレオ）端子でもよい。更に、端子盤４は、図示しないアンテナで受信したテレビジョン放送信号が供給されるＴＶ信号用端子も備えている。
【００１４】
図１（ａ）、（ｂ）に示された映像表示装置に垂直方向断面（破線Ｙ方向の断面）は、図１（ｃ）に示されている。尚、図１（ｃ）においてはスタンド２の図示は省略されている。図１（ｃ）に示されように、本実施形態に係る映像表示装置は、該映像表示装置の前面から背面にかけて順に、例えば液晶パネルやプラズマディスプレイパネルで構成された表示パネル６、シャーシ７、及び映像信号を処理するための例えばＬＳＩ等により構成された信号処理回路１２と端子５とを備えた回路基板８が配列されている。上記信号処理回路１２は、例えば入力映像信号に対して色補正やコントラスト補正、γ補正を行うものでもよく、更には入力映像信号の画素数を表示パネル６の解像度に合わせて増減させるスケーリング処理や、入力映像信号のフレーム数を変換するフレームレート変換処理を行うものであってもよい。この信号処理回路１２で処理された映像信号は、信号伝送線１１を介して表示パネル６に供給される。
【００１５】
シャーシ７は、表示パネル６からの熱が伝導され、これを外部に放出すると共に、表示パネル６からの電磁波（不要輻射）が装置外部に漏洩しないように、該不要輻射を遮断するためのアースとしての機能も併せ持つ。一方、回路基板８には、信号処理回路１２以外にも、デジタル映像信号を複合するためのデコーダを備えている。更に、この回路基板８に、映像表示装置の各部に電源を供給する電源回路、及びテレビジョン信号を選局するためのチューナなども設けてもよいし、この電源回路及びチューナは別の回路基板として構成してもよい。
【００１６】
ここで、回路基板８とシャーシ７とは、第１の結合部９及び第２の結合部１０により互いに結合される。ここで、第１の結合部９よりも端子５からの距離が近い第２の結合部１０は、例えばコイルバネ等によって構成された導電性の弾性部材２３を含んでおり、この弾性部材２３を介して回路基板８とシャーシ７とが結合される。よって、この弾性部材２３は、回路基板８及びシャーシ７の主平面と垂直な方向（図１（ｃ）の紙面左右方向）に弾性力を作用させる。一方、第２の結合部１０よりも端子５からの距離が遠い第１の結合部９では、弾性を有さない導電性部材、例えばネジ等によって固定的に回路基板８とシャーシ７とが結合される。第１の結合部９に使用されるネジ、及び第２の結合部１０に使用される弾性部材は、いずれも導電性を有している。
【００１７】
本実施例において、図示しないケーブルのコネクタは、回路基板８及びシャーシ７の主平面と垂直な方向から端子５に挿入される。従って、ケーブルのコネクタの挿入時に端子５に加わる力は、回路基板８及びシャーシ７の主平面と垂直な方向に働く。よって、本実施例のように、回路基板８の端子５に近いほうの第２の結合部１０に弾性部材２３を用いることによって、上記端子への挿入時に加わる力が大きい回路基板８の端子５近傍においては、当該弾性部材２３により上記力を吸収できる。一方、ケーブルのコネクタ挿入時に上記力が大きく作用しない端子５から離れた第１の結合部９では回路基板８及びシャーシ７とを固定することで互いに当接（すなわち電気的な接続）を強くしてアースを向上させている。
【００１８】
次に、本実施例における回路基板８及びシャーシ７との結合の詳細について、図２〜４を参照して説明する。図２は、互いに結合された回路基板８及びシャーシ７の全体を示しており、図３は、図２の点線Ａで囲んだ部分の拡大図、図４は、図２の点線Ｂで囲んだ部分の拡大図を示している。更に、図２の左上図は、回路基板８及びシャーシ７を上から見た図であり、下側の図は回路基板８及びシャーシ７の水平方向断面図、右側の図は回路基板８及びシャーシ７の垂直方向断面図を示している。
【００１９】
図２において、ターミナルメタル２１は、端子盤４を構成するものであり、端子５のコネクタ挿入口が小ネジ２４によって結合される。ここで、端子５は、１つのＤＶＩ入力端子及び２つのＨＤＭＩ入力端子で構成されているものとする。更にこれら端子群は、回路基板８の主平面を表示パネル６の画面水平方向に伸びる鎖線Ｘを基準にして回路基板８を上下２分割したとき、その下半分領域に集中して設けるものとする。従って、本例では、回路基板８の上半分領域には、端子５を設けないようにする。端子５は、回路基板８に固定されて結合されており、更に回路基板８は、２箇所の第１の結合部９及び２箇所の第２の結合部１０でシャーシ７と結合されている。
【００２０】
すなわち、本例では、合計４箇所で回路基板８とシャーシ７とを互いに結合しており、そのうち端子５から遠い位置にある第１の結合部９は、菊座ネジ２２により、シャーシ７と一体的に形成された鉤状の台座２６に回路基板８を結合させる。このとき、菊座ネジ２２と回路基板８との間、及び回路基板８台座２６との間には、図２の下側の図及び右側の図、並びに図３及び図４に示されるように、メタルマスク２５が挟まれており、これにより菊座ネジ２２、回路基板８及びシャーシ７間の導電性を向上させている。
【００２１】
一方、端子５から近い位置にある第２の結合部１０では、回路基板８とシャーシ７との間に弾性部材２３を設け、この弾性部材２３を回路基板８とシャーシ７とでサンドウィッチするようにしてこれらを結合するようにしている。本実施例において、弾性部材２３としては、例えば北川工業株式会社の「ＦＧスペーサ／ＦＧＳ」を用いることができる。この弾性部材（ＦＧスペーサ／ＦＧＳ）は、その両端が回路基板８とシャーシ７とに予め設けられた孔に挿入される樹脂製の係合部が設けられており、更にその係合部間は金属製の弾性体が形成されている。これを用いることにより、容易に第１の回路基板８とシャーシ７との間に弾性力を作用させながら、両者を結合することができる。尚、弾性部材２３は、このようなものに限られるものではなく、例えばコイルバネや板バネ等を利用してもよい。
【００２２】
回路基板８とシャーシ７とを結合する際、回路基板８とシャーシ７のそれぞれに予め孔を設け、その孔に上記菊座ネジ２２及び弾性部材２３を挿入して互いに結合する。このとき、回路基板８とシャーシ７に予め設けられる孔の位置が互いに異なる場合、例えば回路基板８における第１の結合部９に対応する２つの孔同士の距離と、シャーシ７における第１の結合部９に対応する２つの孔同士の距離が異なる場合において、全部の結合部（結合箇所）に仮に菊座ネジ２２で固定的に（弾性力を作用させずに）結合した場合、回路基板８にはその距離の違い（換言すれば孔の位置の違い）に伴って、常時応力（ストレス）が加わる。更に、ターミナルメタル２１に端子５の挿入口部を小ネジ２４により取り付ける場合、ターミナルメタル２１にネジの取り付け孔と回路基板８のネジの取り付け孔との相対的の位置ずれがある場合、端子５のターミナルメタル２１へのネジ止めによっても、常時回路基板８にストレスが与えられることになる。このようなストレスが生じている状態で端子５にケーブルのコネクタを挿入した場合、既に生じているストレスとともにその挿入時の力が回路基板８に加わることになるため、これらの力により回路基板８に破損が生じる可能性がある。
【００２３】
これを防止すべく本実施例では、上述したように、端子５に近い側の位置または複数の第２の結合部１０において、弾性部材２３を用いて回路基板８とシャーシ７とを結合するようにした。図２の例では、端子５は回路基板の下半分領域に設けられているので、この下半分領域に位置する結合部（結合箇所）を、弾性部材２３を用いる第２の結合部１０としている。一方、上半分領域には端子５が設けられていないので、上半分領域に位置する結合部（結合箇所）を、弾性部材２３を用いない第１の結合部９としている。これによって、回路基板下半分領域においては、図４の矢印に示されるように、回路基板８及びシャーシ７の主平面と直交する方向に、回路基板８とシャーシ７とによる挟持に反発するように弾性力が生じる。つまり、少なくとも回路基板の下半分領域では、端子５へのケーブルのコネクタ挿入に伴って、回路基板８の変動または変形が許容され得るようになる。従って、本実施例によれば、端子５が配置された下半分領域については上述の応力と端子への挿入時の力を弾性部材により吸収して破損を防止可能となり、一方、上半分領域については導電性を高めてアースを向上させるようにしている。
【００２４】
このようにして、本実施例では、アースを向上させつつ回路基板の破損などを防止することを可能としている。従って、本実施例によれば、映像表示装置、特に平面型の表示パネルを用いた映像表示装置の信頼性を向上させることができる。
【００２５】
尚、図２の例では、弾性部材２３を用いる第２の結合部１０を２箇所としたが、これに限定されるものではなく、例えば３個としてもよく、また端子５に最も近い１つのみとしてもよい。また、回路基板８を端子５が設けられる領域と設けられていない領域の２つに分割し、端子５からの距離に関係なく、端子５が設けられる領域に含まれる全ての結合部を弾性部材２３による第２の結合部１０とし、端子５が設けられていない領域に含まれる全ての結合部を、弾性部材２３を用いない（導電性を高めた）第１の結合部９としてもよい。このとき、回路基板の分割方向は、図２に示されるように表示パネル６の画面水平（左右）方向でもよく、また表示パネル６の画面垂直（上下）方向でもよい。
【産業上の利用可能性】
【００２６】
本発明は、液晶ディスプレイやプラズマディスプレイ装置などの表示パネルを用いた映像表示装置において、外部入力端子などの端子を備えた回路基板とシャーシを互いに結合する場合の信頼性を向上させるのに利用して好適である。
【図面の簡単な説明】
【００２７】
【図１】本発明が適用される映像表示装置に一例を示す図。
【図２】本発明の一実施形態を示す図。
【図３】図２の点線Ａで囲まれた部分の拡大図。
【図４】図２の点線Ｂで囲まれた部分の拡大図。
【符号の説明】
【００２８】
１…表示パネルの表示面、２…スタンド、３…筐体、４…端子盤、５…端子、６…表示パネル、７…シャーシ、８…回路基板、９…第１の結合部、１０…第２の結合部、１１…信号伝送線、１２…信号処理回路、２２…菊座ネジ、２３…弾性部材。
【図１】
2008249930.tif 000003
【図２】
2008249930.tif 000004
【図３】
2008249930.tif 000005
【図４】
2008249930.tif 000006